(57)【要約】【課題】  裏面部にプラグ端子を備えたプラグイン機器のプラグ端子と主幹バーとの接続関係を的確に表示できるプラグイン機器を提供する。【解決手段】  本体１１の裏面部にプラグ端子３ａ、３ｂ、３ｃを設けたプラグイン機器に、主幹バーと接続するプラグ端子の位置関係を実際の主幹バーとの関係に応じて表示できる表示部を設ける。【選択図】  図３
2006179390.tif 000002
【特許請求の範囲】
【請求項１】
本体の裏面部にプラグ端子を設けたプラグイン機器に、主幹バーと接続するプラグ端子の位置関係を実際の主幹バーとの関係に応じて表示できる表示部を設けたことを特徴とするプラグイン機器。
【請求項２】
主幹バーと接続するプラグ端子の位置関係を記入可能な表示部とした請求項１に記載のプラグイン機器。
【発明の詳細な説明】
【技術分野】
【０００１】
本発明は、ブレーカ、端子台を搭載したアダプタの裏面部にプラグ端子を備えたプラグインユニットや裏面部にプラグ端子を備えたブレーカ、端子台等のプラグイン機器に関するものである。
【背景技術】
【０００２】
プラグイン機器は、プラグ端子を主幹バーと接続した後はどの端子がどの主幹バーと接続しているのかを視認することができないのを普通とする。そのため、例えば単相のプラグイン機器を増設する際に配電盤全体の相バランスが崩れることがないかを確認するには既に接続されているプラグイン機器を一旦外す必要があった。
これを解決するものとして、端子カバーにプラグ端子と接続する主幹バーの相を表示したシール材を貼り付けたものがある（例えば、特許文献１参照）。
ところが、これは裏面部にプラグ端子を備えたプラグイン機器のように、主幹バーに対して接続方向を変更することがあるものにおいては、プラグイン機器上の表示と実際の主幹バーとの関係が逆になり、現場での設置作業を行うときは工場出荷時のシールを貼りかえる必要があるので煩わしいうえ、特に三相の負荷では相順が逆になり誤って配線するおそれもあった。
【特許文献１】特開平１１−３３９６２５号公報（段落００２２、図８）
【発明の開示】
【発明が解決しようとする課題】
【０００３】
本発明は前記のような問題点を解決して、裏面部にプラグ端子を備えたプラグイン機器のプラグ端子と主幹バーとの接続関係を的確に表示できるプラグイン機器を提供することである。
【課題を解決するための手段】
【０００４】
本発明のプラグイン機器は、本体の裏面部にプラグ端子を設けたプラグイン機器に、主幹バーと接続するプラグ端子の位置関係を実際の主幹バーとの関係に応じて表示できる表示部を設けたことを特徴とするものを請求項１に係る発明とする。そして、この請求項１に係る発明において、主幹バーと接続するプラグ端子の位置関係を記入可能な表示部としたものを請求項２に係る発明とする。
【発明の効果】
【０００５】
請求項１に記載した発明は、本体の裏面部にプラグ端子を設けたプラグイン機器に、主幹バーと接続するプラグ端子の位置関係を実際の主幹バーとの関係に応じて表示できる表示部を設けたものであるから、表示部を見ることにより主幹バーと接続するプラグ端子の位置関係が容易に判るから、単相のプラグイン機器を増設する際に配電盤全体の相バランスが崩れることがないかを確認するため既に接続されているプラグイン機器を一旦外す必要がないものである。また、三相のプラグイン機器を主幹バーに対して接続方向を変更する場合においても、プラグイン機器上に実際の主幹バーとプラグ端子との位置関係を表示しているので相を間違えて配線する虞のないものである。
【０００６】
また、請求項２の発明は、主幹バーと接続するプラグ端子の位置関係を記入可能な表示部としたので、一種類の表示部を作成するだけで、複数種類のプラグ端子位置を表示可能なものとして対応できるものである。また、プラグ端子位置が変更なプラグイン機器に用いれば、現場での設置作業時に記入することにより、適切な表示を行うことができるものである。
【発明を実施するための最良の形態】
【０００７】
次に、本発明の好ましい実施の形態を図面に基づき説明する。
【０００８】
〔第１の実施形態〕
先ず、第１の実施形態を図１から図５に示すプラグイン機器の１つである三相３線式のブレーカを搭載したアダプタの裏面部にプラグ端子を備えたプラグインユニットにより説明する。
図１及び図２において、１は三相３線式のブレーカ２を本体１１の表面部に搭載したアダプタである。このアダプタ１の本体１１の裏面部１１ａには前記ブレーカ２の３個の各一次側端子と電気的に接続した３個のプラグ端子３ａ、３ｂ、３ｃが図２に示すように備えられている。これら３個のプラグ端子３ａ、３ｂ、３ｃは図３及び図５に示すように盤面に対して板厚方向を垂直として３本平行に配設した３本の主幹バーＲ・Ｓ・Ｔの前端側から差し込み接続するものとしている。
【０００９】
５はプラグイン機器であるこのプラグインユニットに設けた前記主幹バーＲ・Ｓ・Ｔと接続するプラグ端子３ａ、３ｂ、３ｃの位置関係を実際の主幹バーとの関係に応じて表示する表示部である。この表示部５はアダプタ１の両側に形成した取付片部１２の一方すなわちブレーカ２の負荷側の各端子部２１が臨む側に設けてある。そして、この表示部５は図３（Ｂ）に示すように前記３本の主幹バーＲ・Ｓ・Ｔと平行となるよう描いた３本の主幹バー表示極太線図形５ａとこれと直交する３本のプラグイン機器の負荷端子表示太線図形５ｂとよりなり、各主幹バーと各プラグ端子との接続箇所に当たる主幹バー表示極太線図形５ａとプラグイン機器の負荷端子表示太線図形５ｂとの交点に印（図示では黒円）を付して表示している。この表示部５は粘着性のシールの上に印字した表示ラベルであることが好ましい。
【００１０】
上記したように、本発明ではプラグインユニット上の表示部５にプラグ端子３ａ，３ｂ，３ｃと主幹バーの位置関係を表示したので、配線の引き出し方向の変更により主幹バーに対するプラグインユニットの接続方向を変更しても、表示部５は常に主幹バーとプラグ端子３ａ，３ｂ，３ｃの位置関係を示すものであり、相を間違えて配線する虞れがなくなる。なお、上記実施形態は三相３線式のプラグインユニットで説明したが、単相３線式のプラグインユニットにも同様の表示部を適用することにより、相を間違えて配線をなくすことができるものである。
【００１１】
また、前記表示部５は図４に示すように主幹バー表示極太線図形５ａとこれと直交するプラグイン機器の負荷端子表示太線図形５ｂとの全交点を白抜き円に形成してもよい。すなわち、主幹バーと接続する実際のプラグ端子３ａ，３ｂ，３ｃの位置に対応する表示部５の白抜き円を塗りつぶせば、一種類の表示部５にて複数種類のプラグ端子位置を表示可能なものとして対応できるものである。
また、プラグ端子位置が変更なプラグイン機器に用いれば、設置現場で上記の場合と同様に、実際のプラグ端子３ａ，３ｂ，３ｃの位置に対応する表示部５の白抜き円を塗りつぶすことにより、複数種類のプラグ端子位置の表示部とすることができるものである。
【００１２】
〔第２の実施形態〕
次に、第２の実施形態を図６から図９に示すプラグイン機器の１つである単相２線式のブレーカを搭載したアダプタの裏面部にプラグ端子を備えたプラグインユニットにより説明する。
図６において、１は単相２線式のブレーカ２を本体１１の表面部に搭載したアダプタである。このアダプタ１の本体１１の裏面部１１ａには前記ブレーカ２の２個の各一次側端子と電気的に接続した２個のプラグ端子３ａ、３ｂが図７に示すように備えられている。なお、この２個のプラグ端子３ａ、３ｂは図８（Ａ）に示すように盤面に対して板厚方向を垂直として３本平行に配設した３本の主幹バーＬ１・Ｎ・Ｌ２の何れかの２本と任意に接続できるように、図７に示すように３本の主幹バーＬ１・Ｎ・Ｌ２に対応するアダプタ１の本体１１の裏面部１１ａに設けた３個のホルダー部６と着脱自在としており、単相三線の場合に１００Ｖ及び２００Ｖの配線を、しかも１００Ｖ配線は電源線を振り分けて相バランスを崩すことなくできるものである。なお、各端子プラグ端子３ａ、３ｂは前記第１の実施形態と同様に主幹バーＬ１・Ｎ・Ｌ２の前端側から差し込み接続するものとしている。
【００１３】
５はプラグイン機器であるこのプラグインユニットに設けた前記主幹バーＬ１・Ｎ・Ｌ２と接続するプラグ端子３ａ、３ｂの位置関係を実際の主幹バーとの関係に応じて表示する表示部である。この表示部５はアダプタ１の両側に形成した取付片部１２の一方すなわちブレーカ２の負荷側の各端子部２１が臨む側に設けてある。そして、この表示部５は図８（Ｂ）に示すように前記３本の主幹バーＬ１・Ｎ・Ｌ２と平行となるように描いた３本の主幹バー表示極太線図形５ａとこれと直交する２本のプラグイン機器の負荷端子表示太線図形５ｂとよりなり、各主幹バーと各プラグ端子との接続箇所に当たる主幹バー表示極太線図形５ａとプラグイン機器の負荷端子表示太線図形５ｂとの交点に印（図示では黒円）を付して表示している。
【００１４】
また、前記表示部５は第１の実施形態と同様に図９に示すように主幹バー表示極太線図形５ａとこれと直交するプラグイン機器の負荷端子表示太線図形５ｂとの全交点を白抜き円に形成し、主幹バーと接続するプラグ端子の位置関係を記入すれば、一種類のラベル製の表示部を作成するだけで、複数種類のプラグ端子位置を表示するものとして対応できるものである。
特に、この第２の実施形態のように、この２個のプラグ端子３ａ、３ｂを３本の主幹バーＬ１・Ｎ・Ｌ２の何れかの２本と任意に接続できるように、３本の主幹バーＬ１・Ｎ・Ｌ２に対応するアダプタ１の本体１１の裏面部１１ａに設けた３個のホルダー部６と着脱自在として、単相三線の場合に１００Ｖ及び２００Ｖの配線を行うものにあっては設置現場での実際のプラグ端子位置に対応する表示部５の白抜き円を塗りつぶすことも可能であるのでその利点大きなものである。
【００１５】
なお、前記の第１及び第２の実施形態はいずれもブレーカを搭載したアダプタの裏面部にプラグ端子を備えたプラグインユニットであるプラグイン機器において説明したが、アダプタに端子台を搭載したプラグインユニットであっても、さらには、裏面部にプラグ端子を備えたブレーカ、端子台であってもよい。
【図面の簡単な説明】
【００１６】
【図１】第１の実施形態を示す斜視図である。
【図２】第１の実施形態を示す下側から見た斜視図である。
【図３】第１の実施形態を示す図であり、（Ａ）は主幹バーとの関係を示す正面、（Ｂ）は表示部の拡大図である。
【図４】第１の実施形態の表示部の他例を示す拡大図である。
【図５】第１の実施形態の使用例を示す正面図である。
【図６】第２の実施形態を示す斜視図である。
【図７】第２の実施形態を示す底面図である。
【図８】第２の実施形態を示す図であり、（Ａ）は主幹バーとの関係を示す正面、（Ｂ）は表示部の拡大図である。
【図９】第２の実施形態の表示部の他例を示す拡大図である。
【符号の説明】
【００１７】
11  本体
11a  裏面部
3a  プラグ端子
3b  プラグ端子
3c  プラグ端子
５  表示部
【図１】
2006179390.tif 000003
【図２】
2006179390.tif 000004
【図３】
2006179390.tif 000005
【図４】
2006179390.tif 000006
【図５】
2006179390.tif 000007
【図６】
2006179390.tif 000008
【図７】
2006179390.tif 000009
【図８】
2006179390.tif 000010
【図９】
2006179390.tif 000011